(57)【要約】【課題】  調査環境、同席者、モデレータによるバイアスがかからない透明な状態で被験者から回答を引き出す円滑な映像評価のリサーチを可能とするコントローラを提供する。【解決手段】  ヘッドマウントディスプレイ２をもって映像を仮想空間下で被験者に聴取させ、映像に対する被験者の生体反応を検出することにより、検出した生体反応に基づき被験者の映像に対する心理を解析する映像評価のリサーチシステムに使用するコントローラにして、ヘッドマウントディスプレイ内に表示される映像の視聴操作を行うための操作手段１２、１４、１５、１６を有するとともに、被験者の生体反応を検出するセンサ１８Ａ、１８Ｂ、１７、１９、２１を有し、上記視聴操作信号およびセンサからの計測値データを外部に送信する手段を有する。【選択図】      図２
2018152837.tif 000002
【特許請求の範囲】
【請求項１】
被験者が装着し、仮想空間を表現する映像を内部に表示するヘッドマウントディスプレイをもって映像を仮想空間下で被験者に聴取させ、映像に対する被験者の生体反応を検出することにより、検出した生体反応に基づき被験者の映像に対する心理を解析する映像評価のリサーチシステムにおいて被験者が把持して映像の視聴操作に用いるコントローラにして、上記コントローラはヘッドマウントディスプレイ内に表示される映像の視聴操作を行うための操作手段を有するとともに、被験者の生体反応を検出するセンサを有し、上記視聴操作信号およびセンサからの計測値データを外部に送信する手段を有することを特徴とする映像評価のリサーチ用コントローラ。
【請求項２】
検出対象となる被験者の生体反応には心電、または心拍、または体温、または機器を把持する圧力、または身体部位の傾き角度、または発汗のうちの一つまたは複数を含む請求項１記載の映像評価のリサーチ用コントローラ。
【請求項３】
コントローラは被験者が把持するコントローラに操作用ボタンおよびジョイスティックを設けるとともに、把持した際に指が接触する位置に心電、心拍を検出するセンサを、手のひらが接触する箇所に体温を検出する温度センサを、把持力が加わる箇所に把持圧力を検出する圧力センサを設けた請求項１記載の映像評価のリサーチ用コントローラ。
【請求項４】
コントローラを把持しない側の手に接触させるための心電、心拍を検出するセンサをケーブルを介して接続した請求項３記載の映像評価のリサーチ用コントローラ。
【請求項５】
コントローラの後部に電源となる電池を収容する電池ボックスを垂設した請求項１から４のいずれかに記載の映像評価のリサーチ用コントローラ。
【請求項６】
温度センサをコントローラの左右に個別に設け、コントローラを把持する側の手により手のひらが接触する側の温度センサを選択するとともに、心電心拍の波形が反対にならないように選択するための電気的な左右切り替え機構を設けた４または５に記載の映像評価のリサーチ用コントローラ。
【発明の詳細な説明】
【技術分野】
【０００１】
本願発明はコマーシャル映像評価のリサーチシステムに使用するコントローラに関し、より詳細には被験者を仮想空間（ＶＲ）下において行うリサーチシステムに使用するコントローラに関する。
【背景技術】
【０００２】
視聴率で評価を知ることができるテレビ番組本体と異なり、商品やサービスの宣伝広告手段の一つであるテレビコマーシャルはその評価を直接的に知ることができず、サンプリングした被験者に実際にコマーシャル映像を視聴してもらって、評価回答を得るリサーチを行うことが望まれている。
【０００３】
前記のリサーチは従来は被験者にコマーシャル映像を視聴してもらい、その評価回答を筆記してもらったり、インタービューにより回答を得ていた。
【０００４】
一方、広告の研究または調査に際し、ディスプレイに表示した映像を視聴する被験者の目線や表情などから調査対象のどこに被験者の関心があるかを判断する試みもなされている（特許文献１）。
【先行技術文献】
【特許文献】
【０００５】
【特許文献１】特表２００９−５３００７１
【発明の開示】
【発明が解決しようとする課題】
【０００６】
しかしながら、従来のリサーチ方法においては、被験者が回答するにあたり、調査環境、同席者、モデレータによるバイアスがかかり、回答に集中できず正確な回答を引き出せない問題があった。
【課題を解決するための手段】
【０００７】
本願発明は以上の従来技術のリサーチの問題点に鑑みて創作されたものであり、被験者を仮想空間（ＶＲ）下において行う映像評価のリサーチシステムに使用するコントローラを提供することを目的として創作されたものである。
【０００８】
すなわち、本願発明の映像評価のリサーチ用コントローラは、
被験者が装着し、仮想空間を表現する映像を内部に表示するヘッドマウントディスプレイをもって映像を仮想空間下で被験者に聴取させ、映像に対する被験者の生体反応を検出することにより、検出した生体反応に基づき被験者の映像に対する心理を解析する映像評価のリサーチシステムにおいて被験者が把持して映像の視聴操作に用いるコントローラであり、
上記コントローラはヘッドマウントディスプレイ内に表示される映像の視聴操作を行うための操作手段を有するとともに、被験者の生体反応を検出するセンサを有し、上記視聴操作信号およびセンサからの計測値データを外部に送信する手段を有することを特徴とする。
【０００９】
また、請求項２記載の発明は前記の映像評価のリサーチ用コントローラにおいて、検出対象となる被験者の生体反応には心電、または心拍、または体温、または機器を把持する圧力、または身体部位の傾き角度、または発汗のうちの一つまたは複数を含むことを特徴とする。
【００１０】
また、請求項３記載の発明は前記の映像評価のリサーチ用コントローラにおいて、被験者が把持するコントローラに操作用ボタンおよびジョイスティックを設けるとともに、把持した際に指が接触する位置に心電、心拍を検出するセンサを、手のひらが接触する箇所に体温を検出する温度センサを、把持力が加わる箇所に把持圧力を検出する圧力センサを設けたことを特徴とする。
【００１１】
また、請求項４記載の発明は前記の映像評価のリサーチ用コントローラにおいて、コントローラを把持しない側の手に接触させるための心電、心拍を検出するセンサをケーブルを介して接続したことを特徴とする。
【００１２】
また、請求項５記載の発明は前記の映像評価のリサーチ用コントローラにおいて、コントローラの後部に電源となる電池を収容する電池ボックスを垂設したことを特徴とする。
【００１３】
また、請求項６記載の発明は前記の映像評価のリサーチ用コントローラにおいて、温度センサをコントローラの左右に個別に設け、コントローラを把持する側の手により手のひらが接触する側の温度センサを選択するとともに、心電心拍の波形が反対にならないように選択するための電気的な左右切り替え機構を設けたことを特徴とする。
【発明の効果】
【００１４】
本願発明のコントローラの前提となる映像評価のリサーチシステムによれば、第一に被験者への映像の表示は仮想空間下において行われるので、調査環境、同席者、モデレータなどによるバイアスがかからない透明な状態で被験者から回答を引き出すことが可能となる。
【００１５】
第二に、調査対象に対する被験者の生体反応を検出し、検出した生体反応に基づき被験者の心理を解析することにより、被験者に求める回答を単純化することができるので、しゃべったり、ボタン操作などの能動行為を極力少なくすることができ、能動行為を強いられる被験者がそれを煩わしく感じて回答がおろそかになる問題がない。
【００１６】
本願発明のコントローラは前記の映像評価のリサーチシステムにおいて、ヘッドマウントディスプレイ内に表示される映像の視聴操作を行うための操作手段を有するとともに、被験者の生体反応を検出するセンサを有し、上記視聴操作信号およびセンサからの計測値データを記憶または外部に送信する手段を有するコントローラを提供することにより、円滑なリサーチを可能とする。
【００１７】
次に、請求項２記載の発明によれば、検出対象となる被験者の生体反応には心電、または心拍、または体温、または機器を把持する圧力、または身体部位の傾き角度、または発汗のうちの一つまたは複数を含むので、映像の視聴操作を行うためのコントローラを利用して多様な生体反応を検出でき、より正確な解析を行うことができる。
【００１８】
次に、請求項３記載の発明によれば、被験者が把持するコントローラに操作用ボタンおよびジョイスティックを設けるとともに、把持した際に指が接触する位置に心電、心拍を検出するセンサを、手のひらが接触する箇所に体温を検出する温度センサを、把持力が加わる箇所に把持圧力を検出する圧力センサを設けたので、コントローラを把持するだけで各種の生体反応を検出することができる。
【００１９】
次に、請求項４記載の発明によれば、コントローラを把持しない側の手に接触させるための心電、心拍を検出するセンサをケーブルを介して接続したので、一つのコントローラのみで心電、心拍を確実に検出することができる。
【００２０】
次に、請求項５記載の発明によれば、コントローラの後部に電源となる電池を収容する電池ボックスを垂設したので、電池の重量により把持したコントローラの重心が安定し、不用意に手の中で回転しないので、各種のセンサが定位置からずれずに生体反応の確実な検出が実現される。
【００２１】
次に、請求項６記載の発明によれば、温度センサをコントローラの左右に個別に設け、コントローラを把持する側の手により手のひらが接触する側の温度センサを選択するとともに、心電心拍の波形が反対にならないように選択するための電気的な左右切り替え機構を設けたので、一つのコントローラで右利き、左利きの被験者に対応することができる。
【図面の簡単な説明】
【００２２】
【図１】本願発明のコントローラが使用される映像評価のリサーチシステムの全体のブロック図。
【図２】本願発明のコントローラの側面図。
【図３】同上、平面図。
【図４】同上、斜視図。
【図５】同上、電気回路のブロック図。
【発明を実施するための最良の形態】
【００２３】
図１は本願発明のコントローラが使用される映像評価のリサーチシステムの全体の構成を示すブロック図である。このリサーチシステムは、被験者を仮想空間下に置いて、映像を仮想空間下で被験者に視聴させる手段としてヘッドマウントディスプレイ２を、被験者が映像の視聴操作を行う手段としてコントローラ１を、映像に対する被験者の生体反応を検出する手段として上記ヘッドマウントディスプレイおよびコントローラに配した各種の生体センサを用い、リサーチサーバ６において検出した生体反応および操作履歴に基づき被験者の心理を解析する。
【００２４】
図中符号３はリサーチを行う場所に設置される視聴調査用コンピュータであり、ネットワークＮを介して前記リサーチサーバ６と接続される。視聴調査用コンピュータ３はリサーチサーバ６からダウンロードした視聴調査の対象となる映像データを無線信号などにより被験者が装着するヘッドマウントディスプレイ２に送信するとともに、被験者が操作するコントローラ１からの操作履歴を受信し、リサーチサーバ６に転送する。一方、前記視聴調査用コンピュータ３はヘッドマウントディスプレイ内に配された生体センサから送信された計測データを受信してリサーチサーバ６に転送するとともに、コントローラ１に配された生体センサから送信された計測データを受信してリサーチサーバ６に転送する。
【００２５】
前記リサーチサーバ６は管理用コンピュータ７により視聴調査の対象となる映像データの配信およびシステム全体の制御が行われ、視聴調査用コンピュータ３から転送される被験者の操作履歴および生体データをビッグデータとして記録保存し、このビッグデータを解析してレポート用コンピュータ８のブラウザ画面上に例えばヒートマップなどの可視情報として表示する。
【００２６】
この実施例では、映像の視聴調査の前後に、電子端末機器を用いて映像に関連する事項に関するアンケート調査を行い、視聴調査前アンケート結果および視聴調査後アンケート結果を、被験者の操作履歴および生体反応データとともにリサーチサーバに送信し、これらの要素により被験者の映像の評価を解析する。図中符号４はそのためのタブレット端末である。このタブレット端末４はネットワークＮを介して前記リサーチサーバ６と接続され、リサーチサーバ６からアンケートのコンテンツをダウンロードするとともに、被験者の回答結果が送信される。
【００２７】
前記のタブレット端末４は視聴調査前アンケート時、視聴調査時、視聴調査後アンケート時を通して同じものを被験者が使用し、視聴調査前アンケート実施時に被験者ＩＤを発行するとともに、上記被験者ＩＤをタブレット端末に記憶し、映像の視聴調査時に被験者が携えた被験者ＩＤを視聴調査用装置が読み取ることによりリサーチサーバ６に対し被験者を特定することができる。ここでは、被験者ＩＤを二次元コードとしてタブレット端末４の画面上に表示し、それを視聴調査用コンピュータ３に接続された二次元コードリーダ５により読み取ることにより被験者を特定する。
【００２８】
この実施例では被験者から検出する映像に対する生体反応として、
(1) 目線
(2) まばたき
(3) 脳波
(4) 心電
(5) 心拍
(6) （コントローラを持つ手の）圧力
(7) 体温
〜を採用し、上記(1) 〜(3) はヘッドマウントディスプレイ２内に配された生体センサにより、(4) 〜(7) はコントローラ１に配された生体センサにより検出することとしている。なお、これらはあくまでも一例であり、例えば身体部位の傾き角度、音声、表情、発汗などのこれ以外の生体反応であってもよいことは勿論である。
【００２９】
リサーチサーバ６では、以上の映像への生体反応および操作履歴と心理の相関関係を解析して、確立されたロジック、アルゴリズムにより被験者の心理を解析する。
【００３０】
図２〜５は本願発明の映像評価のリサーチ用コントローラ１の具体的実施例を示す図である。このコントローラ１は手で把持可能な円柱状のコントローラ本体１０と、その後部に垂設した電源４２となる電池を収容する電池ボックス部１１からなる。
【００３１】
図中符号１２、１４、１５、１６は映像の視聴操作に使用する操作部材である。この内、ジョイスティク１４はコントローラ本体１０の前部上方に、ＯＫボタン１２は同じく前端に、リターンボタン１５およびメニューボタン１６は同じく前部上方に配されることにより、ヘッドマウントディスプレイ２を装着した被験者がブラインドタッチで容易に視聴操作を行えることを可能としている。
【００３２】
図中符号１８Ａ、１８Ｂ、１７、１９、２１はコントーラを把持した被験者の各種の生体反応を検出するためのセンサである。この内、心電、心拍を検出するセンサとなる心電、心拍電極１７はコントローラ本体１０の前部下方の把持した際に被験者の中指を接触可能な位置に配される。また、体温を検出する温度センサは同じく前部両側の把持した際に被験者の手のひらが接触する箇所に右手把持用温度センサ１８Ａと左手把持用温度センサ１８Ｂがそれぞれ独立して配される。また、コントローラの把持圧力を検出する圧力センサ１９はコントローラ本体１０の下方全域に渡って配される。また、コントローラを把持しない側の手に接触させるための心電、心拍を検出するセンサとなる心電、心拍電極２１がケーブル２０を介してコントローラに接続される。図中符号２２は前記の心電、心拍電極２１をコントローラを把持しない側の手に固定するためのリストバンドである。
【００３３】
図５は本願発明の映像評価のリサーチ用コントローラ１の電気回路を示すブロック図である。上記回路は映像の視聴操作に関するコントローラ回路３０と生体反応の検出に関するセンシング回路４０と電源４２からなる。
【００３４】
コントローラ回路３０は前記のジョイスティク１４、ＯＫボタン１２、リターンボタン１５およびメニューボタン１６の操作による視聴操作信号を外部（ここでは視聴調査用コンピュータ３）に送信する。
【００３５】
センシング回路４０は前記の心電、心拍電極１７、心電、心拍電極２１、右手把持用温度センサ１８Ａ、左手把持用温度センサ１８Ｂ、圧力センサ１９からの検出信号から生体反応値を計測して外部（ここでは視聴調査用コンピュータ３）に送信する。
【００３６】
図中符号１３は一つのコントローラで右利き、左利きの被験者に対応させるための左右切り替えスイッチであり、コントローラを把持する側の手により手のひらが接触する側の温度センサ１８Ａ、１８Ｂのいずれかをオンにするとともに、心電心拍の波形が反対にならないように選択する。
【符号の説明】
【００３７】
１        コントローラ
２        ヘッドマウントディスプレイ
３        視聴調査用コンピュータ
４        タブレット端末
６        リサーチサーバ
７        管理用コンピュータ
８        レポート用コンピュータ
１０      コントローラ本体
１１      電池ボックス部
１２      ＯＫボタン
１４      ジョイスティク
１５      リターンボタン
１６      メニューボタン
１７      心電、心拍電極
１８Ａ    右手把持用温度センサ
１８Ｂ    左手把持用温度センサ
１９      圧力センサ
２１      心電、心拍電極
【図１】
2018152837.tif 000003
【図２】
2018152837.tif 000004
【図３】
2018152837.tif 000005
【図４】
2018152837.tif 000006
【図５】
2018152837.tif 000007